(57)【要約】複数のディスプレイを有する移動体通信装置における，ユーザインタフェイス向上のための，複数のディスプレイの有効な使い方に関する具体的な技術を開示する。第１及び第２のディスプレイ（３ａ，３ｂ）に，複数の表示情報の一覧リスト（２４）を第１のディスプレイ（３ａ）に表示するとともに，一覧リスト中の所定の表示情報（２３）を第２のディスプレイに表示する様表示制御を行う。一覧リストと表示情報の組に代えて，主情報と主情報に関連した参照情報の組，または，アプリケーションソフトウェアの実行によって得られる画像情報と画像情報にリンクされたＷｅｂページの組としてもよい。
2003077096.tif 000002
【特許請求の範囲】
【請求項１】
データを送受信する送受信部と、
第１および第２のディスプレイと、
複数の表示情報とこれらの表示情報の一覧リストとが記憶された記憶部と、
前記記憶部から読み出した一覧リストを前記第１のディスプレイに表示させると共に、前記第１のディスプレイに表示された一覧リスト中の所定の表示情報を前記記憶部から読み出して前記第２のディスプレイに表示させる表示制御部とを備えることを特徴とする移動体通信装置。
【請求項２】
前記前記第１のディスプレイに表示された一覧リストに重畳させて、このリスト中の所定の表示情報を指示するフォーカスを操作する操作部を更に備え、
前記表示制御部は、前記フォーカスが指示する表示情報を前記記憶部から読み出して前記第２のディスプレイに表示させると共に、前記操作部の操作によって前記フォーカスが指示する表示情報が変わった場合に、前記第２のディスプレイに表示させる表示情報を切り換えることを特徴とする請求項１記載の移動体通信装置。
【請求項３】
前記表示制御部は、前記第１のディスプレイにメール受信リストを表示させると共に、前記第２のディスプレイに前記メール受信リスト中のいずれかの受信メールを表示させることを特徴とする請求項１又は請求項２記載の移動体通信装置。
【請求項４】
前記表示制御部は、前記第１のディスプレイに地図リストを表示させると共に、前記第２のディスプレイに前記地図リスト中のいずれかの地図画像を表示させることを特徴とする請求項１又は請求項２記載の移動体通信装置。
【請求項５】
前記表示制御部は、前記第１のディスプレイに撮影画像リストを表示させると共に、前記第２のディスプレイに前記撮影画像リスト中のいずれかの撮影画像を表示させることを特徴とする請求項１又は請求項２記載の移動体通信装置。
【請求項６】
データを送受信する送受信部と、
第１および第２のディスプレイと、
複数の主情報および複数の参照情報が記憶された記憶部と、
前記記憶部から読み出した主情報を前記第１のディスプレイに表示させると共に、前記主情報に関連した参照情報を前記記憶部から読み出して前記第２のディスプレイに表示させる表示制御部とを備えることを特徴とする移動体通信装置。
【請求項７】
前記表示制御部は、前記第１のディスプレイに受信メールを表示させると共に、前記第２のディスプレイに該受信メールに添付された添付ファイルを表示させることを特徴とする請求項６記載の移動体通信装置。
【請求項８】
前記表示制御部は、前記第１のディスプレイに返信メール作成画面を表示させると共に、前記第２のディスプレイに該返信メールに対応した受信メールを表示させることを特徴とする請求項６記載の移動体通信装置。
【請求項９】
前記表示制御部は、前記第１のディスプレイに送信メール作成画面を表示させると共に、前記第２のディスプレイに該送信メール作成用の文字入力パレットを表示させることを特徴とする請求項６記載の移動体通信装置。
【請求項１０】
前記表示制御部は、前記第１のディスプレイに送信メール作成画面を表示させると共に、前記第２のディスプレイに該送信メール作成用の定型文一覧リストを表示させることを特徴とする請求項６記載の移動体通信装置。
【請求項１１】
前記表示制御部は、前記第１のディスプレイに送信メール作成画面を表示させると共に、前記第２のディスプレイに該送信メールに書き込まれた日時に対応した日のスケジュール情報を表示させることを特徴とする請求項６記載の移動体通信装置。
【請求項１２】
データを送受信する送受信部と、
第１および第２のディスプレイと、
所定のアプリケーションソフトウェアとブラウザソフトウェアとが記憶された記憶部と、
前記記憶部から読み出した前記アプリケーションソフトウェアの実行によって得られる画像情報を前記第１のディスプレイに表示させると共に、前記記憶部から読み出したブラウザソフトウェアを実行して、前記画像情報にリンクされたリンク先Ｗｅｂページを前記第２のディスプレイに表示させる表示制御部とを備えることを特徴とする移動体通信装置。
【請求項１３】
前記表示制御部は、メールソフトウェアの実行によって得られる着信メールを前記第１のディスプレイに表示させると共に、前記着信メールにリンクされたリンク先Ｗｅｂページを前記第２のディスプレイに表示させることを特徴とする請求項１２記載の移動体通信装置。
【請求項１４】
前記表示制御部は、ブラウザソフトウェアの実行によって得られるＷｅｂページを前記第１のディスプレイに表示させると共に、前記Ｗｅｂページにリンクされたリンク先Ｗｅｂページを前記第２のディスプレイに表示させることを特徴とする請求項１２記載の移動体通信装置。
【請求項１５】
前記表示制御部は、動画再生ソフトウェアの実行によって得られる動画像を前記第１のディスプレイに表示させると共に、前記動画像にリンクされたリンク先Ｗｅｂページを前記第２のディスプレイに表示させることを特徴とする請求項１２記載の移動体通信装置。
【請求項１６】
前記第１のディスプレイと前記第２のディスプレイとのいずれか一方のディスプレイの表示領域に仕切り線を設定し、本来一方のディスプレイで表示すべき情報を仕切り線で仕切られた一側の領域に表示させると共に、本来他方のディスプレイに表示すべき情報を仕切り線で仕切られた他側の領域および他方のディスプレイの表示領域に跨らせて表示させるディスプレイ仕切り部を更に備えることを特徴とする請求項１２から請求項１５のいずれか一項に記載の移動体通信装置。
【請求項１７】
複数の表示情報とこれらの表示情報の一覧リストとが記憶された記憶部にアクセスして、前記記憶部から前記一覧リストを読み出して第１のディスプレイに表示させると共に、前記第１のディスプレイに表示された一覧リスト中の所定の表示情報を前記記憶部から読み出して第２のディスプレイに表示させることを特徴とする移動体通信装置の表示制御方法。
【請求項１８】
複数の主情報と複数の参照情報とが記憶された記憶部にアクセスして、前記記憶部から前記主情報を読み出して第１のディスプレイに表示させると共に、前記主情報に関連した参照情報を前記記憶部から読み出して第２のディスプレイに表示させることを特徴とする移動体通信装置の表示制御方法。
【請求項１９】
所定のアプリケーションソフトウェアとブラウザソフトウェアとが記憶された記憶部にアクセスして、前記記憶部から読み出した前記アプリケーションソフトウェアの実行によって得られる画像情報を前記第１のディスプレイに表示させると共に、前記記憶部から読み出したブラウザソフトウェアを実行して、前記画像情報にリンクされたリンク先Ｗｅｂページを前記第２のディスプレイに表示させることを特徴とする移動体通信装置の表示制御方法。
【請求項２０】
複数の表示情報とこれらの表示情報の一覧リストとが記憶された記憶部にアクセスして、前記記憶部から前記一覧リストを読み出して第１のディスプレイに表示させると共に、前記第１のディスプレイに表示された一覧リスト中の所定の表示情報を前記記憶部から読み出して第２のディスプレイに表示させることを特徴とする移動体通信装置の表示制御プログラム。
【請求項２１】
複数の主情報と複数の参照情報とが記憶された記憶部にアクセスして、前記記憶部から前記主情報を読み出して第１のディスプレイに表示させると共に、前記主情報に関連した参照情報を前記記憶部から読み出して第２のディスプレイに表示させることを特徴とする移動体通信装置の表示制御プログラム。
【請求項２２】
所定のアプリケーションソフトウェアとブラウザソフトウェアとが記憶された記憶部にアクセスして、前記記憶部から読み出した前記アプリケーションソフトウェアの実行によって得られる画像情報を前記第１のディスプレイに表示させると共に、前記記憶部から読み出したブラウザソフトウェアを実行して、前記画像情報にリンクされたリンク先Ｗｅｂページを前記第２のディスプレイに表示させることを特徴とする移動体通信装置の表示制御プログラム。
【発明の詳細な説明】
技術分野
本発明は、携帯電話機、無線通信機能を有する携帯情報端末等の移動体通信装置、その表示制御方法並びにプログラムに関するものであり、特に複数のディスプレイを備えるものに関する。
背景技術
従来、様々なタイプの携帯電話機が開発され利用されている。しかし、その多くは単一のディスプレイを備える携帯電話機であった。また、複数のディスプレイを備える携帯電話機として特開平９−２４７２５０号公報に記載されたものがある。この携帯電話機は、折りたたみ可能な２つのディスプレイを単一のスクリーンとして使用することにより、メール及び無線呼び出しによる文字メッセージ、ファクシミリ或いはパーソナルコンピュータ等からの情報量の多いデータ等を表示することができる。
しかし、上述のような従来の携帯電話機では、複数のディスプレイを単一のスクリーンとして使用しているため、大きな画面サイズを実現できるものの、複数のディスプレイの有効な利用方法に関する具体的な技術については何ら開示されていないため、ユーザインターフェースの向上が図られていないという課題があった。
本発明は、以上説明した課題を解決するためになされたものであり、複数のディスプレイを有する移動体通信装置のユーザインターフェースを向上させることを目的とする。
発明の開示
本発明の移動体通信装置は、データを送受信する送受信部と、第１および第２のディスプレイと、複数の表示情報とこれらの表示情報の一覧リストとが記憶された記憶部と、記憶部から読み出した一覧リストを第１のディスプレイに表示させると共に、第１のディスプレイに表示された一覧リスト中の所定の表示情報を記憶部から読み出して第２のディスプレイに表示させる表示制御部とを備えることを特徴とする。
また、第１のディスプレイに表示された一覧リストに重畳させて、このリスト中の所定の表示情報を指示するフォーカスを操作する操作部を更に備え、表示制御部は、フォーカスが指示する表示情報を記憶部から読み出して第２のディスプレイに表示させると共に、操作部の操作によってフォーカスが指示する表示情報が変わった場合に、第２のディスプレイに表示させる表示情報を切り換えることを特徴とする。
さらに、表示制御部は、第１のディスプレイにメール受信リストを表示させると共に、第２のディスプレイにメール受信リスト中のいずれかの受信メールを表示させることを特徴とする。
また、表示制御部は、第１のディスプレイに地図リストを表示させると共に、第２のディスプレイに地図リスト中のいずれかの地図画像を表示させることを特徴とする。
さらに、表示制御部は、第１のディスプレイに撮影画像リストを表示させると共に、第２のディスプレイに撮影画像リスト中のいずれかの撮影画像を表示させることを特徴とする。
本発明の移動体通信装置は、データを送受信する送受信部と、第１および第２のディスプレイと、複数の主情報および複数の参照情報が記憶された記憶部と、記憶部から読み出した主情報を第１のディスプレイに表示させると共に、主情報に関連した参照情報を記憶部から読み出して第２のディスプレイに表示させる表示制御部とを備えることを特徴とする。
また、表示制御部は、第１のディスプレイに受信メールを表示させると共に、第２のディスプレイに該受信メールに添付された添付ファイルを表示させることを特徴とする。
さらに、表示制御部は、第１のディスプレイに返信メール作成画面を表示させると共に、第２のディスプレイに該返信メールに対応した受信メールを表示させることを特徴とする。
また、表示制御部は、第１のディスプレイに送信メール作成画面を表示させると共に、第２のディスプレイに該送信メール作成用の文字入力パレットを表示させることを特徴とする。
さらに、表示制御部は、第１のディスプレイに送信メール作成画面を表示させると共に、第２のディスプレイに該送信メール作成用の定型文一覧リストを表示させることを特徴とする。
また、表示制御部は、第１のディスプレイに送信メール作成画面を表示させると共に、第２のディスプレイに該送信メールに書き込まれた日時に対応した日のスケジュール情報を表示させることを特徴とする。
本発明の移動体通信装置は、データを送受信する送受信部と、第１および第２のディスプレイと、所定のアプリケーションソフトウェアとブラウザソフトウェアとが記憶された記憶部と、記憶部から読み出したアプリケーションソフトウェアの実行によって得られる画像情報を第１のディスプレイに表示させると共に、記憶部から読み出したブラウザソフトウェアを実行して、画像情報にリンクされたリンク先Ｗｅｂページを第２のディスプレイに表示させる表示制御部とを備えることを特徴とする。
また、表示制御部は、メールソフトウェアの実行によって得られる着信メールを第１のディスプレイに表示させると共に、着信メールにリンクされたリンク先Ｗｅｂページを第２のディスプレイに表示させることを特徴とする。
さらに、表示制御部は、ブラウザソフトウェアの実行によって得られるＷｅｂページを第１のディスプレイに表示させると共に、Ｗｅｂページにリンクされたリンク先Ｗｅｂページを第２のディスプレイに表示させることを特徴とする。
また、表示制御部は、動画再生ソフトウェアの実行によって得られる動画像を第１のディスプレイに表示させると共に、動画像にリンクされたリンク先Ｗｅｂページを第２のディスプレイに表示させることを特徴とする。
さらに、第１のディスプレイと第２のディスプレイとのいずれか一方のディスプレイの表示領域に仕切り線を設定し、本来一方のディスプレイで表示すべき情報を仕切り線で仕切られた一側の領域に表示させると共に、本来他方のディスプレイに表示すべき情報を仕切り線で仕切られた他側の領域および他方のディスプレイの表示領域に跨らせて表示させるディスプレイ仕切り部を更に備えることを特徴とする。
本発明の移動体通信装置の表示制御方法は、複数の表示情報とこれらの表示情報の一覧リストとが記憶された記憶部にアクセスして、記憶部から一覧リストを読み出して第１のディスプレイに表示させると共に、第１のディスプレイに表示された一覧リスト中の所定の表示情報を記憶部から読み出して第２のディスプレイに表示させることを特徴とする。
また、本発明の移動体通信装置の表示制御方法は、複数の主情報と複数の参照情報とが記憶された記憶部にアクセスして、記憶部から主情報を読み出して第１のディスプレイに表示させると共に、主情報に関連した参照情報を記憶部から読み出して第２のディスプレイに表示させることを特徴とする。
さらに、本発明の移動体通信装置の表示制御方法は、所定のアプリケーションソフトウェアとブラウザソフトウェアとが記憶された記憶部にアクセスして、記憶部から読み出したアプリケーションソフトウェアの実行によって得られる画像情報を第１のディスプレイに表示させると共に、記憶部から読み出したブラウザソフトウェアを実行して、画像情報にリンクされたリンク先Ｗｅｂページを第２のディスプレイに表示させることを特徴とする。
本発明の移動体通信装置の表示制御プログラムは、複数の表示情報とこれらの表示情報の一覧リストとが記憶された記憶部にアクセスして、記憶部から一覧リストを読み出して第１のディスプレイに表示させると共に、第１のディスプレイに表示された一覧リスト中の所定の表示情報を記憶部から読み出して第２のディスプレイに表示させることを特徴とする。
また、本発明の移動体通信装置の表示制御プログラムは、複数の主情報と複数の参照情報とが記憶された記憶部にアクセスして、記憶部から主情報を読み出して第１のディスプレイに表示させると共に、主情報に関連した参照情報を記憶部から読み出して第２のディスプレイに表示させることを特徴とする。
さらに、本発明の移動体通信装置の表示制御プログラムは、所定のアプリケーションソフトウェアとブラウザソフトウェアとが記憶された記憶部にアクセスして、記憶部から読み出したアプリケーションソフトウェアの実行によって得られる画像情報を第１のディスプレイに表示させると共に、記憶部から読み出したブラウザソフトウェアを実行して、画像情報にリンクされたリンク先Ｗｅｂページを第２のディスプレイに表示させることを特徴とする。
発明を実施するための最良の形態
以下、本発明に係る移動体通信装置、移動体通信装置の表示制御方法、および移動体通信装置の表示制御プログラムの好適な実施の形態について添付図面を参照して説明する。
実施の形態１．
図１は、本実施の形態に係る移動体通信装置の詳細を示すブロック図である。同図に示すように、ＭＰＵ（Ｍｉｃｒｏ  Ｐｒｏｃｅｓｓｉｎｇ  Ｕｎｉｔ）１は、各デバイスの動作を制御する機能を有し、バスを介してビデオ回路２、ビデオデコーダ／エンコーダ、Ｉ／Ｏ（Ｉｎｐｕｔ  ａｎｄ  Ｏｕｔｐｕｔ）コントローラ６、メモリ９、送受信回路１０、音声デコーダ／エンコーダ１２に接続されている。ビデオ回路２は、図示しないビデオメモリを備え、液晶表示装置３ａ、３ｂを電気的に駆動させる。ここで、ビデオ回路２は液晶表示装置（第１のディスプレイ）３ａ及び液晶表示装置（第２のディスプレイ）３ｂをそれぞれ独立に制御することができる。
液晶表示装置３ａ、３ｂは、ビデオ回路２からの制御信号に従って文字、静止画像、動画などの映像を表示する。ビデオデコーダ／エンコーダ４は、カメラ５で撮像された映像をＭＰＥＧ４（Ｍｏｖｉｎｇ  Ｐｉｃｔｕｒｅ  Ｅｘｐｅｒｔｓ  Ｇｒｏｕｐ  ４）等のエンコーダ方式に従って圧縮データにエンコードするエンコーダと、アンテナ１１及び送受信回路１０を介して受信したエンコードされたデータをデコードし、元の映像に復元するデコーダとを備える回路である。このビデオデコーダ／エンコーダ４として、例えば、市販されているＭＰＥＧデコーダ／エンコーダ用ＩＣが使用できる。
Ｉ／Ｏコントローラ６は、各種デバイスから入力信号をＭＰＵ１へ送信し、またＭＰＵ１から各種デバイスへの出力信号を送信する入出力処理を行うコントローラである。開閉センサ７は、移動可能に設けられた液晶表示装置３ｂの位置を検出するセンサである。例えば、液晶表示装置３ｂが閉じた位置に移動した場合に、スイッチが液晶表示装置３ｂ又はその筐体によって押されるような位置にスイッチを設けてもよい。複数の操作ボタン８は、それぞれ対応する機能や文字が割り付けられており、それぞれ入力デバイスとして使用される。
メモリ（記憶部）９は各種プログラム及びデータを記憶する。メモリの種類（揮発性メモリ、不揮発性メモリ等）は、データの種類に応じて適切なものを使用する。送受信回路（送受信部）１０は、アンテナ１１を介した音声やデータの通信を行う回路である。送受信回路１０は様々な種類の回路が知られており、既に広く普及しているＰＤＣ（Ｐｅｒｓｏｎａｌ  Ｄｅｇｉｔａｌ  Ｃｅｌｌｕｌａｒ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＣＤＭＡ（Ｃｏｄｅ  Ｄｉｖｉｓｉｏｎ  Ｍｕｌｔｉｐｌｅ  Ａｃｃｅｓｓ）方式、或いは、これから広く普及するであろう次世代の通信方式、Ｗ−ＣＤＭＡ（Ｗｉｄｅ−ｂａｎｄ  Ｃｏｄｅ  Ｄｉｖｉｓｉｏｎ  Ｍｕｌｔｉｐｌｅ  Ａｃｃｅｓｓ）、ｃｄｍａ２０００方式等の通信方式用の送受信回路を使用することができる。
音声デコーダ／エンコーダ１２は、マイク１４により取得された音声信号を符号化するエンコーダと、送受信回路１０で受信した符号化されたデータを音声信号にデコードするデコーダとを備える回路である。音声の符号化方式としては、ＣＥＬＰ（Ｃｏｄｅ  Ｅｘｉｔｅｄ  Ｌｉｎｅａｒ  Ｐｒｅｄｉｃｔｉｏｎ）方式の符号化方式が広く知られている。音声デコーダ／エンコーダ１２でデコードされた音声信号は、スピーカ１３を介して再生される。なお、スピーカ１３は、音声信号に限らず、図示しないシンセサイザ回路で生成された電気信号によって音楽、効果音を再生する。
図２及び図３は、移動体通信装置の正面図であり、図１と同一の符号は同一又は相当の部分を表している。ここで、図２は液晶表示装置３ｂを液晶表示装置３ａの背面側に隠した状態を示している。液晶表示装置３ｂは図３に示すように、本体筐体２０に対してスライドする構造を有しており、ユーザは、液晶表示装置３ａ及び３ｂを同時に使用することができる。また、ボタン８ａ〜８ｃは操作ボタン８として機能する入力デバイスである。
指定ボタン（操作部）８ａは、ボタンの周縁部を押すことにより方向示す信号を生成する方向キーの機能と、ボタンの中心部を押下することにより指定した選択肢を確定し次の動作を指示する決定ボタンの機能を有する。例えば、ユーザがメニュー上の選択肢を指定する場合にスクリーンに表示されたカーソル又は強調表示の移動を指示し、ボタンを押下することにより、ＭＰＵ１はその選択肢に割り当てられた処理を実行する。ソフトウェアキー８ｂは、液晶表示装置３ａ若しくは液晶表示装置３ｂに表示された選択肢に対応して設けられ、表示された機能の実行を指示する場合に、使用される入力デバイスである。数字ボタン８ｃは、数字又は文字を入力するために使用される入力デバイスである。
図４及び図５は、図２及び図３に示した移動体通信装置の側面図であり、これらの図において図１と同一の符号は同一又は同等の部分を表している。ここで、図４は図２と同様に、液晶表示装置３ｂが隠れており、使用できない状態を示している。一方、図５は図３に対応し、液晶表示装置３ａが本体筐体２０に対してスライドし、引き出された状態を示している。図５を見て判るように、本体筐体２０と液晶表示装置３ｂを支持する副筐体２１とは、スライド面が曲面上に構成されている。そのため、副筐体２１を引き出すと、副筐体２１並びにカメラ５、液晶表示装置３ｂが正面側に角度を変えながらせり出してくるため、カメラ５及び液晶表示装置３ｂがユーザにとって使用しやすい角度に調整される。
図６に示すように、メモリ９には、液晶表示装置３ａ，３ｂを表示制御する表示制御プログラム２２と、複数の表示情報２３と、これらの表示情報２３の一覧リスト２４とが記憶されている。表示情報２３と一覧リスト２４の組合せとしては、（１）受信メール２３ａとメール受信リスト２４ａ、（２）地図画像２３ｂと地図リスト２４ｂ、（３）撮影画像２３ｃと撮影画像リスト２４ｃ等がある。
次に、本実施の形態の動作について図７，８のフローチャートを用いて説明する。まず、利用者が指定ボタン８ａの中心部を押下することによって、ＭＰＵ１の制御の下で表示制御プログラム２２が起動され、液晶表示装置３ａ，３ｂに初期画面が表示される（ステップ１００）。この状態で利用者が指定ボタン８ａの上端部或いは下端部を押下することにより、図９に示すようなメニュー画面が液晶表示装置３ａに表示される（ステップ１０１）。メニュー画面の初期状態では、所定のメニューを指定するためのフォーカス（反転表示されたブロック）が最上段のメニューに重畳される（但し、同図ではフォーカスが既に中段に移動した状態を示している）。更に、利用者が指定ボタン８ａの上端部或いは下端部を押下し続けることにより、フォーカスが上下に移動して、所定のメニューを選択することができる（ステップ１０２）。
受信メールの表示
ここで、利用者が受信メールのチェックを行いたい場合、利用者はまず指定ボタン８ａの上端部或いは下端部を押下して、フォーカスの位置をメニュー中の「受信メール」に合わせる。さらに利用者が指定ボタン８ａの中心部を押下することにより、受信メールの表示処理が選択される（ステップ１０３）。
受信メールの表示処理が選択された場合、表示制御プログラム２２は、メモリ９に記憶されたメール受信リスト２４ａを読み出して、このメール受信リスト２４ａを液晶表示装置３ａに表示させる（ステップ１０４）。この際、メール受信リスト２４ａに掲載された所定の受信メール２３ａのタイトルにフォーカスを重畳させる（ステップ１０５）。フォーカスを重畳する位置は、メール受信リスト２４ａの先頭のタイトル、前回参照した受信メールのタイトル、或いは最新の受信メールのタイトルのいずれでもよい。さらに、表示制御プログラム２２は、フォーカスが重畳されたタイトルに対応した受信メール２３ａをメモリ９から読み出して、この受信メール２３ａを液晶表示装置３ｂに表示させる（ステップ１０６）。その結果、図１０（ａ）に示すような画面が液晶表示装置３ａ，３ｂに表示される。同図の例によれば、メール受信リスト２４ａの先頭のタイトルである「受信メール１」にフォーカスが重畳された画面が液晶表示装置３ａに表示され、「受信メール１」の受信メール２３ａが液晶表示装置３ｂに表示される。
次に、利用者が指定ボタン８ａの下端部を押下すると、メール受信リスト２４ａのフォーカスの位置が下方に移動していく（ステップ１０７）。そして、メール受信リスト２４ａに掲載された所望のタイトルの位置にフォーカスを合わせることにより、新たにフォーカスが重畳されたタイトルに対応した受信メールをメモリ９から読み出して、この受信メール２３ａを、今まで表示されていた受信メール２３ａの代わりに液晶表示装置３ｂに表示させる（ステップ１０６）。
その結果、図１０（ｂ）に示すような画面が液晶表示装置３ａ，３ｂに表示される。同図の例によれば、液晶表示装置３ａに表示されているメール受信リスト２４ａに重畳されたフォーカスの位置が「受信メール１」から「受信メール２」に移動し、このフォーカスの移動に合わせて、液晶表示装置３ｂの表示が「受信メール１」の受信メール２３ａから「受信メール２」の受信メール２３ａに切り替わる。
地図の表示
次に、利用者が地図を表示させたい場合、利用者がソフトウェアキー８ｂ（現在「戻り」の機能が割り付けられているものとする）を押下すると、図９のメニュー画面が液晶表示装置３ａに再び表示される（ステップ１０１）。そして、利用者が指定ボタン８ａの上端部或いは下端部を押下して、フォーカスの位置をメニュー中の「地図」に合わせて、指定ボタン８ａの中心部を押下することにより、地図の表示処理が選択される（ステップ１０２，１０８）。
地図の表示処理が選択された場合、表示制御プログラム２２は、メモリ９に記憶された地図リスト２４ｂを読み出して、この地図リスト２４ｂを液晶表示装置３ａに表示させる（ステップ１０９）。この際、地図リスト２４ｂに掲載された所定の地図のタイトルにフォーカスを重畳させる（ステップ１１０）。フォーカスを重畳させる位置は、地図リスト２４ｂの先頭のタイトル、前回表示させた地図のタイトル、或いは最も頻度の高い地図のタイトルでもよい。さらに、表示制御プログラム２２は、フォーカスが重畳されたタイトルに対応した地図画像２３ｂをメモリ９から読み出して、この地図画像２３ｂを液晶表示装置３ｂに表示させる（ステップ１１１）。その結果、図１１（ａ）に示すような画面が液晶表示装置３ａ，３ｂに表示される。同図の例によれば、地図リスト２４ｂの先頭のタイトルである「地点１」にフォーカスが重畳された画面が液晶表示装置３ａに表示され、「地点１」の地図画像２３ｂが液晶表示装置３ｂに表示される。
次に、利用者が指定ボタン８ａの下端部を押下すると、地図リスト２４ｂのフォーカスの位置が下方に移動していく（ステップ１１２）。そして、地図リスト２４ｂの所望のタイトルの位置にフォーカスを合わせることにより、新たにフォーカスが重畳されたタイトルに対応した地図画像２３ｂをメモリ９から読み出して、この地図画像２３ｂを、今まで表示されていた地図画像２３ｂの代わりに液晶表示装置３ｂに表示させる（ステップ１１１）。
その結果、図１１（ｂ）に示すような画面が液晶表示装置３ａ，３ｂに表示される。同図の例によれば、液晶表示装置３ａに表示されている地図リスト２４ｂに重畳されたフォーカスの位置が「地点１」から「地点２」に移動し、このフォーカスの移動に合わせて、液晶表示装置３ｂに表示されていた地図が「地点１」の地図画像２３ｂから「地点２」の地図画像２３ｂに切り替わる。
撮影画像の表示
次に、利用者が撮影画像を表示させたい場合、利用者がソフトウェアキー８ｂ（現在「戻り」の機能が割り付けられているものとする）を押下すると、図９のメニュー画面が液晶表示装置３ａに再び表示される（ステップ１０１）。そして、利用者が指定ボタン８ａの上端部或いは下端部を押下して、フォーカスの位置をメニュー中の「撮影画像」に合わせることにより、撮影画像の表示処理が選択される（ステップ１０２，１１３）。
撮影画像の表示処理が選択された場合、表示制御プログラム２２は、メモリ９に記憶された撮影画像リスト２４ｃを読み出して、この撮影画像リスト２４ｃを液晶表示装置３ａに表示させる（ステップ１１４）。この際、撮影画像リスト２４ｃに掲載された所定の撮影画像のタイトルにフォーカスを重畳させる（ステップ１１５）。フォーカスを重畳させる位置は、撮影画像リスト２４ｃの先頭のタイトル、前回表示させた撮影画像２３ｃのタイトル、或いは最も頻度の高い撮影画像２３ｃのタイトルでもよい。さらに、表示制御プログラム２２は、フォーカスが重畳されたタイトルに対応した撮影画像２３ｃをメモリ９から読み出して、この撮影画像２３ｃを液晶表示装置３ｂに表示させる（ステップ１１６）。その結果、図１２（ａ）に示すような画面が液晶表示装置３ａ，３ｂに表示される。同図の例によれば、撮影画像リスト２４ｃの先頭のタイトルである「画像１」にフォーカスが重畳された画面が液晶表示装置３ａに表示され、「画像１」の撮影画像２３ｃが液晶表示装置３ｂに表示される。
次に、利用者が指定ボタン８ａの下端部を押下すると、撮影画像リスト２４ｃのフォーカスの位置が下方に移動していく（ステップ１１７）。そして、撮影画像リスト２４ｃの所望のタイトルの位置にフォーカスを合わせて、指定ボタン８ａの中心部を押下することにより、新たにフォーカスが重畳されたタイトルに対応した撮影画像２３ｃがメモリ９から読み出され、この撮影画像２３ｃを、今まで表示されていた撮影画像２３ｃの代わりに液晶表示装置３ｂに表示させる（ステップ１１６）。
その結果、図１２（ｂ）に示すような画面が液晶表示装置３ａ，３ｂに表示される。同図の例によれば、液晶表示装置３ａに表示されている撮影画像リスト２４ｃに重畳されたフォーカスの位置が「画像１」から「画像２」に移動し、このフォーカスの移動に合わせて、液晶表示装置３ｂに表示されていた画像が「画像１」の撮影画像２３ｃから「画像２」の撮影画像２３ｃに切り替わる。
以上詳細に説明したように、本実施の形態においては、メール受信リスト２４ａ、地図リスト２４ｂ、撮影画像リスト２４ｃといった一覧リスト２４を液晶表示装置３ａに表示させると共に、これらの一覧リスト２４の所定の表示情報２３（受信メール２３ａ、地図画像２３ｂ、撮影画像２３ｃ）を液晶表示装置３ｂに表示させる。このため、一覧リスト２４の中から所望の表示情報２３を探そうとした場合、液晶表示装置３ａに表示された一覧リスト２４のタイトルを順番に追いながら、各タイトルに対応した表示情報２３を液晶表示装置３ｂに順次切り替えて表示させることができる。
このように、液晶表示装置３ａ，３ｂに表示される２つの画面を交互に確認しながら表示情報２３を順番に検索することにより、極めて迅速に所望の表示情報２３を探し出すことが可能となる。また、表示情報２３と一覧リスト２４とは、別々の液晶表示装置３ａ，３ｂに分けて表示されているため、利用者にとっては各情報の分離が明確となり、操作性が大きく向上する。
実施の形態２．
次に、実施の形態２について説明する。実施の形態２に係る移動体通信装置のハードウェア構成は、図１〜図５に示す実施の形態１と同一又は同等であるため、その説明は省略する。
図１３は、実施の形態２に係る移動体通信装置が有するメモリ９の内部を示すブロック図である。図１３に示すように、メモリ９には、液晶表示装置３ａ，３ｂを制御する表示制御プログラム２５と、複数の主情報２６と、これらの主情報２６に関連した複数の参照情報２７とが記憶されている。主情報２６と参照情報２７の組合せとしては、（１）受信メール２６ａとこの受信メール２６ａに添付された添付ファイル２７ａ、（２）返信メール作成画面２６ｂとこの返信メールに対応した受信メール２７ｂ、（３）送信メール作成画面２６ｃとこの送信メール作成用の文字入力パレット２７ｃ、（４）送信メール作成画面２６ｃとこの送信メール作成用の定型文一覧リスト２７ｄ、（５）送信メール作成画面２６ｃとこの送信メールに書き込まれた日時に対応した日のスケジュール情報２７ｅ等がある。なお、文字入力パレット２７ｃには、絵文字・記号・顔文字等の特殊文字入力用のパレットが用いられるものとする。
次に、本実施の形態の動作について図１４，１５のフローチャートを用いて説明する。まず、利用者が指定ボタン８ａの中心部を押下することによって、ＭＰＵ１の制御の下で表示制御プログラム２２が起動され、液晶表示装置３ａ，３ｂに初期画面が表示される（ステップ１２０）。この状態で利用者が指定ボタン８ａの上端部或いは下端部を押下することにより、図１６に示すようなメニュー画面が液晶表示装置３ａに表示される（ステップ１２１）。メニュー画面の初期状態では、所定のメニューを指定するためのフォーカス（反転表示されたブロック）が最上段のメニューに重畳される（但し、同図ではフォーカスが既に中段に移動した状態を示している）。更に、利用者が指定ボタン８ａの上端部或いは下端部を押下し続けることにより、フォーカスが上下に移動して、所定のメニューを選択することができる（ステップ１２２）。
受信メールの表示
ここで、利用者が受信メールの表示を行いたい場合、利用者はまず指定ボタン８ａの上端部或いは下端部を押下して、フォーカスの位置をメニュー中の「受信メール表示」に合わせる。さらに利用者が指定ボタン８ａの中心部を押下することにより、受信メールの表示処理が選択される（ステップ１２３）。
受信メールの表示処理が選択された場合、表示制御プログラム２６は、メモリ９に記憶された受信メール２６ａを読み出して、この受信メール２６ａを液晶表示装置３ａに表示させる（ステップ１２４）。さらに、この受信メール２６ａに添付ファイル２７ａが添付されている場合には（ステップ１２５）、表示制御プログラム２６は、メモリ９に記憶された添付ファイル２７ａを読み出して、この添付ファイル２７ａを液晶表示装置３ｂに表示させる（ステップ１２６）。その結果、図１７に示すように、受信メール２６ａが液晶表示装置３ａに表示され、この受信メール２６ａに添付された添付ファイル２７ａが液晶表示装置３ｂに表示される。
返信メールの作成
次に、利用者が返信メールを作成したい場合、利用者がソフトウェアキー８ｂ（現在「戻り」の機能が割り付けられているものとする）を押下すると、図１６のメニュー画面が液晶表示装置３ａに再び表示される（ステップ１２１）。そして、利用者が指定ボタン８ａの上端部或いは下端部を押下して、フォーカスの位置をメニュー中の「返信メールの作成」に合わせて、指定ボタン８ａの中心部を押下することにより、返信メールの作成処理が選択される（ステップ１２２，１２７）。
返信メールの作成処理が選択された場合、表示制御プログラム２５は、メモリ９に記憶された返信メール作成画面２６ｂを読み出して、この返信メール作成画面２６ｂを液晶表示装置３ａに表示させる（ステップ１２８）。さらに、この返信メールに対応した受信メール２７ｂをメモリ９から読み出して液晶表示装置３ｂに表示させる（ステップ１２９）。その結果、図１８に示すように、返信メール作成画面２６ｂが液晶表示装置３ａに表示され、この返信メールに対応した受信メール２７ｂが液晶表示装置３ｂに表示される。
送信メールの作成
次に、利用者が送信メールを作成したい場合、利用者がソフトウェアキー８ｂ（現在「戻り」の機能が割り付けられているものとする）を押下すると、図１６のメニュー画面が液晶表示装置３ａに再び表示される（ステップ１２１）。そして、利用者が指定ボタン８ａの上端部或いは下端部を押下して、フォーカスの位置をメニュー中の「送信メールの作成」に合わせて、指定ボタン８ａの中心部を押下することにより、送信メールの作成処理が選択される（ステップ１２２，１３０）。
送信メールの作成処理が選択された場合、表示制御プログラム２５は、メモリ９に記憶された送信メール作成画面２６ｃを読み出して、この送信メール作成画面２６ｃを液晶表示装置３ａに表示させる（ステップ１３１）。この送信メール作成画面２６ｃに基づいた送信メールの作成において、利用者が絵文字や顔文字などの特殊文字を使用したい場合（ステップ１３２）、利用者がソフトウェアキー８ｂの機能を「文字入力パレット表示」に切り替えて、ソフトウェアキー８ｂを押下することにより、表示制御プログラム２５は、メモリ９に記憶された文字入力パレット２７ｃを読み出して、この文字入力パレット２７ｃを液晶表示装置３ａに表示させる（ステップ１３３）。その結果、図１９に示すように、送信メール作成画面２６ｃが液晶表示装置３ａに表示され、文字入力パレット２７ｃが液晶表示装置３ｂに表示される。
また、送信メール作成画面２６ｃに基づいた送信メールの作成において、利用者が定型文を参照したい場合（ステップ１３４）、利用者がソフトウェアキー８ｂの機能を「定型文一覧リスト表示」に切り替えて、ソフトウェアキー８ｂを押下することにより、表示制御プログラム２５は、メモリ９に記憶された定型文一覧リスト２７ｄを読み出して、この定型文一覧リスト２７ｄを液晶表示装置３ａに表示させる（ステップ１３５）。その結果、図２０に示すように、送信メール作成画面２６ｃが液晶表示装置３ａに表示され、定型文一覧リスト２７ｄが液晶表示装置３ｂに表示される。
さらに、送信メール作成画面２６ｃに基づいた送信メールの作成において、例えば、パーティーの日時等をメールに書き込む前に、その日に予定が入っていないか自己のスケジュールを確認にしておきたい場合（ステップ１３６）、利用者が予めメール文に日時を記載した上で、ソフトウェアキー８ｂの機能を「スケジュール表示」に切り替えて、ソフトウェアキー８ｂを押下することにより、表示制御プログラム２５は、メモリ９に記憶されたスケジュール情報２７ｅを読み出して、送信メールに記載された日時に対応したスケジュール情報２７ｅを液晶表示装置３ｂに表示させる（ステップ１３７）。その結果、図２１に示すように、送信メール作成画面２６ｃが液晶表示装置３ａに表示され、スケジュール情報２７ｅが液晶表示装置３ｂに表示される。
ここで、表示制御プログラム２５は、送信メールの文書を文末から走査して日時を読み込んだ場合に、その日時に対応したスケジュール情報２７ｅを抽出して、液晶表示装置３ｂに表示させる。送信メールに複数の日時が書き込まれている場合には、これらの日時に対応したスケジュール情報２７ｅを画面を切り替えながら、液晶表示装置３ｂに表示させるものとする。
なお、抽出対象となるキーワードは、日時に限定されることなく、日や月だけでもよく、或いは、誕生日や結婚記念日などの予め登録された日付であってもよい。この場合は、送信メール中に例えば「誕生日」と書き込んであれば、誕生日のスケジュール情報２７ｅが液晶表示装置３ｂに表示される。また、送信メールに日時が記入されていない場合には、例えば、本日のスケジュール情報２７ｅが液晶表示装置３ｂに表示されるものとする。さらに、送信メールの日時等とは無関係に、利用者が希望する日時のスケジュール情報２７ｅを液晶表示装置３ｂに表示させてもよい（希望日時は利用者が手動で入力するものとする）。
また、表示制御プログラム２５での走査対象の文書は、受信メール或いは返信メールであってもよい。この場合は、受信メール或いは返信メールが液晶表示装置３ａに表示されている状態で、ソフトウェアキー８ｂ（現在「スケジュール表示」の機能が割り付けられているものとする）を押下することにより、メモリ９に記憶されたスケジュール情報２７ｅが読み出され、受信メール或いは返信メールに記載された日時に対応したスケジュール情報２７ｅが液晶表示装置３ｂに表示される。その結果、例えば、受信メールにパーティーの招待が記載されていた場合、招待日における自己のスケジュールを迅速に確認することが可能となる。
以上詳細に説明したように、本実施の形態においては、受信メール２６ａ、返信メール作成画面２６ｂ、送信メール作成画面２６ｃといった主情報２６を液晶表示装置３ａに表示させると共に、これらの主情報２６に関連した参照情報２７（添付ファイル２７ａ、受信メール２７ｂ、文字入力パレット２７ｃ、定型文一覧リスト２７ｄ、スケジュール情報２７ｅ）を液晶表示装置３ｂに表示させる。このため、主情報２６の表示中に参照情報２７を参照したい場合、主情報２６を液晶表示装置３ａに表示させたままの状態で、参照情報２７を液晶表示装置３ｂに同時に表示させることができる。
このように、主情報２６の画面を切り替えずに参照情報２７を別画面で参照することができるので、主情報２６から目に離すことなく、必要な参照情報２７を適宜入手することが可能となる。また、主情報２６と参照情報２７とは、別々の液晶表示装置３ａ，３ｂに分けて表示されているため、利用者にとっては各情報の分離が明確となり、操作性が大きく向上する。
実施の形態３．
次に、実施の形態３について説明する。実施の形態３に係る移動体通信装置のハードウェア構成は、図１〜図５に示す実施の形態１と同一又は同等であるため、その説明は省略する。
図２２は、実施の形態３に係る移動体通信装置が有するメモリ９の内部を示すブロック図である。図２２に示すように、メモリ９には、液晶表示装置３ａ，３ｂを制御する表示制御プログラム２８と、液晶表示装置３ａ，３ｂのいずれか一方の表示領域に仕切り線を設定するディスプレイ仕切りプログラム２９と、所定のアプリケーションソフトウェア３０と、ブラウザソフトウェア３１とが記憶されている。所定のアプリケーションソフトウェア３０には、（１）メールソフトウェア３０ａ、（２）ブラウザソフトウェア３０ｂ、（３）動画再生ソフトウェア３０ｃ等がある。
次に、本実施の形態の動作について図２３，２４のフローチャートを用いて説明する。まず、利用者が指定ボタン８ａの中心部を押下することによって、ＭＰＵ１の制御の下で表示制御プログラム２２が起動され、液晶表示装置３ａ，３ｂに初期画面が表示される（ステップ１４０）。この状態で利用者が指定ボタン８ａの上端部或いは下端部を押下することにより、図２５に示すようなメニュー画面が液晶表示装置３ａに表示される（ステップ１４１）。メニュー画面の初期状態では、所定のメニューを指定するためのフォーカス（反転表示されたブロック）が最上段のメニューに重畳される（但し、同図ではフォーカスが既に中段に移動した状態を示している）。更に、利用者が指定ボタン８ａの上端部或いは下端部を押下し続けることにより、フォーカスが上下に移動して、所定のメニューを選択することができる（ステップ１４２）。
受信メールの表示
ここで、利用者が受信メールの表示を行いたい場合、利用者はまず指定ボタン８ａの上端部或いは下端部を押下して、フォーカスの位置をメニュー中の「受信メール表示」に合わせる。さらに利用者が指定ボタン８ａの中心部を押下することにより、受信メールの表示処理が選択される（ステップ１４３）。
受信メールの表示処理が選択された場合、メールソフトウェア３０ａが起動され、受信メールを液晶表示装置３ａに表示させる（ステップ１４４）。表示された受信メールにＷｅｂページがリンクされている場合、利用者がこのリンク位置にカーソルを合わせて指定ボタン８ａの中心部を押下すると、ブラウザソフトウェア３１が起動される。ブラウザソフトウェア３１の起動によってリンク先Ｗｅｂページが読み出され、このリンク先Ｗｅｂページが液晶表示装置３ｂに表示される（ステップ１４５）。その結果、図２６に示すように、液晶表示装置３ａに受信メールが表示され、液晶表示装置３ｂにこの受信メールにリンクされたリンク先Ｗｅｂページが表示される。
また、ステップ１４４の処理によって表示された受信メールに電話番号がリンクされている場合、利用者がこのリンク位置にカーソルを合わせて指定ボタン８ａの中心部を押下すると、このリンク先電話番号に対して通話が行われ、液晶表示装置３ｂに通話画面が表示させる
Ｗｅｂページの表示
次に、利用者がＷｅｂページを表示させたい場合、利用者がソフトウェアキー８ｂ（現在「戻り」の機能が割り付けられているものとする）を押下すると、図２５のメニュー画面が液晶表示装置３ａに再び表示される（ステップ１４１）。そして、利用者が指定ボタン８ａの上端部或いは下端部を押下して、フォーカスの位置をメニュー中の「Ｗｅｂページ表示」に合わせて、指定ボタン８ａの中心部を押下すると、Ｗｅｂページの表示処理が選択される（ステップ１４２，１４６）。
Ｗｅｂページの表示処理が選択された場合、ブラウザソフトウェア３０ｂが起動され、Ｗｅｂページを液晶表示装置３ａに表示させる（ステップ１４７）。表示されたＷｅｂページにリンクが張られている場合、利用者がこのリンク位置にカーソルを合わせて指定ボタン８ａの中心部を押下すると、ブラウザソフトウェア３１が起動される。ブラウザソフトウェア３１の起動によってリンク先Ｗｅｂページが読み出され、このリンク先Ｗｅｂページが液晶表示装置３ｂに表示させる（ステップ１４８）。その結果、図２７に示すように、液晶表示装置３ａにＷｅｂページが表示され、液晶表示装置３ｂにこのＷｅｂページにリンクされたリンク先Ｗｅｂページが表示される。
動画の再生
次に、利用者がメモリ９に記憶された動画（図示せず）を再生したい場合、利用者がソフトウェアキー８ｂ（現在「戻り」の機能が割り付けられているものとする）を押下すると、図２５のメニュー画面が液晶表示装置３ａに再び表示される（ステップ１４１）。そして、利用者が指定ボタン８ａの上端部或いは下端部を押下して、フォーカスの位置をメニュー中の「動画再生」に合わせて、指定ボタン８ａの中心部を押下すると、動画の再生処理が選択される（ステップ１４２，１４９）。
動画の再生処理が選択された場合、動画再生ソフトウェア３０ｃが起動され、動画像を液晶表示装置３ａに表示させる（ステップ１５０）。表示された動画像にリンクが張られている場合、利用者がこのリンク位置にカーソルを合わせて指定ボタン８ａの中心部を押下すると、ブラウザソフトウェア３１が起動される。ブラウザソフトウェア３１の起動によってリンク先Ｗｅｂページが読み出され、このリンク先Ｗｅｂページが液晶表示装置３ｂに表示させる（ステップ１５１）。その結果、図２８に示すように、液晶表示装置３ａに動画像が表示され、液晶表示装置３ｂにこのＷｅｂページにリンクされたリンク先Ｗｅｂページが表示される。
なお、この処理の例としては、動画像に映っている女優の服に対して、この服を通信販売しているＷｅｂページがリンクされている場合などがある。この場合は、液晶表示装置３ａに表示された女優の服にカーソルを合わせて、指定ボタン８ａの中心部を押下することにより、通信販売のＷｅｂページが液晶表示装置３ｂに表示され、利用者は女優が着ている服と同じデザインの服をオンラインショッピングで購入することが可能となる。
仕切り線の変更
以上の表示処理は、２つの液晶表示装置３ａ，３ｂのそれぞれの画面に別々の情報を表示させていたが、これらの情報のいずれか一方の情報量が多い場合には、多い方の情報を２つの液晶表示装置３ａ，３ｂに跨らせて表示させることが可能である。
具体的には、利用者がまず指定ボタン８ａの上端部或いは下端部を押下して、フォーカスの位置をメニュー中の「仕切り線変更」に合わせる。さらに利用者が指定ボタン８ａの中心部を押下することにより、仕切り線の変更処理が選択される。
仕切り線の変更処理が選択された場合、ディスプレイ仕切りプログラム２９が起動され、図２９（ａ）に示すように、まず液晶表示装置３ａに仕切り線３２が表示される。次に、利用者が指定ボタン８ａの上端部或いは下端部を押下することにより、仕切り線３２の位置が液晶表示装置３ａの表示領域内で上下動する。そして、仕切り線３２が液晶表示装置３ａの表示領域の上端に到達して、さらに指定ボタン８ａの上端部が押下されると、図２９（ｂ）に示すように、仕切り線３２は液晶表示装置３ｂに移り、液晶表示装置３ｂの表示領域内を上下動する。
ここで、液晶表示装置３ａの表示領域が仕切り線３２によって２分割されている場合には（図２９（ａ）参照）、本来、液晶表示装置３ａの表示領域全体に表示される情報は、分割された下部の表示領域Ａ１に表示される。表示の仕方としては、下部の表示領域のサイズに合わせて圧縮した情報を表示してもよく、下部の表示領域のサイズに合うように部分的に取り出した情報を表示してもよい。また、本来、液晶表示装置３ｂの表示領域全体に表示される情報は、液晶表示装置３ｂの表示領域と、仕切り線３２で分割された液晶表示装置３ａの上部の表示領域とに跨った表示領域Ｂ１に表示される。表示の仕方としては、２つの表示領域のサイズに合わせて拡大した情報を表示してもよく、２つの表示領域のサイズに合うように多くの情報を表示してもよい。
同様に、液晶表示装置３ｂの表示領域が仕切り線３２によって２分割されている場合には（図２９（ｂ）参照）、本来、液晶表示装置３ｂの表示領域全体に表示される情報は、分割された上部の表示領域Ｂ２に表示される。また、本来、液晶表示装置３ａの表示領域全体に表示される情報は、液晶表示装置３ａの表示領域と、仕切り線３２で分割された液晶表示装置３ｂの下部の表示領域とに跨った表示領域Ａ２に表示される。このように、仕切り線３２を用いて２つの情報の表示量を適宜変更することにより、２つの情報量の差に合わせて最適な表示領域を提供することができる。
以上詳細に説明したように、本実施の形態においては、メールソフトウェア３０ａ、ブラウザソフトウェア３０ｂ、動画再生ソフトウェア３０ｃといった所定のアプリケーションソフトウェア３０の実行によって得られる画像情報を液晶表示装置３ａに表示させると共に、ブラウザソフトウェア３１を実行して、液晶表示装置３ａに表示された画像情報にリンクされたリンク先Ｗｅｂページを液晶表示装置３ｂに表示させる。このため、アプリケーションソフトウェア３０の実行によって得られる画像情報の表示中に、この画像情報にリンクされたリンク先Ｗｅｂページを参照したい場合、画像情報を液晶表示装置３ａに表示させたままの状態で、リンク先Ｗｅｂページを液晶表示装置３ｂに同時に表示させることができる。
このように、アプリケーションソフトウェア３０とブラウザソフトウェア３１とを同時起動させることによって、これらのソフトウェアの連携動作による利便性が向上し、ユーザ操作のスムーズな実行が可能となる。また、これらのソフトウェアの実行による画面表示は、別々の液晶表示装置３ａ，３ｂに分離されているので、その時々に自分が行っている操作に対する理解度が向上する。
なお、各実施の形態では、一体型の移動体通信装置を例にして説明したが、２つ折れ型移動体通信装置の、通信機能付きＰＤＡ、通信機能付きノートパソコン等にも適用可能であることは言うまでもない。
産業上の利用可能性
以上のように、本発明に係る移動体通信装置、移動体通信装置の表示制御方法、および移動体通信装置のプログラムは、２つのディスプレイをうまく使い分けることによって、利用者の操作性を向上させているので、大容量且つ多種類のデータを送受信させる移動体通信装置における表示インターフェースとしての利用に適している。
【図面の簡単な説明】
図１は、実施の形態１に係る移動体通信装置の詳細を示すブロック図である。
図２は、実施の形態１に係る移動体通信装置を縮めた状態を示す正面図である。
図３は、実施の形態１に係る移動体通信装置を延ばした状態を示す正面図である。
図４は、実施の形態１に係る移動体通信装置を縮めた状態を示す側面図である。
図５は、実施の形態１に係る移動体通信装置を延ばした状態を示す側面図である。
図６は、実施の形態１に係る移動体通信装置が有するメモリの内部を示すブロック図である。
図７は、実施の形態１に係る移動体通信装置の表示制御方法を示すフローチャートである。
図８は、実施の形態１に係る移動体通信装置の表示制御方法を示すフローチャートである。
図９は、実施の形態１に係る液晶表示装置の表示例を示す図である。
図１０は、実施の形態１に係る液晶表示装置の表示例を示す図である。
図１１は、実施の形態１に係る液晶表示装置の表示例を示す図である。
図１２は、実施の形態１に係る液晶表示装置の表示例を示す図である。
図１３は、実施の形態２に係る移動体通信装置が有するメモリの内部を示すブロック図である。
図１４は、実施の形態２に係る移動体通信装置の表示制御方法を示すフローチャートである。
図１５は、実施の形態２に係る移動体通信装置の表示制御方法を示すフローチャートである。
図１６は、実施の形態２に係る液晶表示装置の表示例を示す図である。
図１７は、実施の形態２に係る液晶表示装置の表示例を示す図である。
図１８は、実施の形態２に係る液晶表示装置の表示例を示す図である。
図１９は、実施の形態２に係る液晶表示装置の表示例を示す図である。
図２０は、実施の形態２に係る液晶表示装置の表示例を示す図である。
図２１は、実施の形態２に係る液晶表示装置の表示例を示す図である。
図２２は、実施の形態３に係る移動体通信装置が有するメモリの内部を示すブロック図である。
図２３は、実施の形態３に係る移動体通信装置の表示制御方法を示すフローチャートである。
図２４は、実施の形態３に係る移動体通信装置の表示制御方法を示すフローチャートである。
図２５は、実施の形態３に係る液晶表示装置の表示例を示す図である。
図２６は、実施の形態３に係る液晶表示装置の表示例を示す図である。
図２７は、実施の形態３に係る液晶表示装置の表示例を示す図である。
図２８は、実施の形態３に係る液晶表示装置の表示例を示す図である。
図２９は、実施の形態３に係る液晶表示装置の表示例を示す図である。
【図１】
2003077096.tif 000003
【図２】
2003077096.tif 000004
【図３】
2003077096.tif 000005
【図４】
2003077096.tif 000006
【図５】
2003077096.tif 000007
【図６】
2003077096.tif 000008
【図７】
2003077096.tif 000009
【図８】
2003077096.tif 000010
【図９】
2003077096.tif 000011
【図１０】
2003077096.tif 000012
【図１１】
2003077096.tif 000013
【図１２】
2003077096.tif 000014
【図１３】
2003077096.tif 000015
【図１４】
2003077096.tif 000016
【図１５】
2003077096.tif 000017
【図１６】
2003077096.tif 000018
【図１７】
2003077096.tif 000019
【図１８】
2003077096.tif 000020
【図１９】
2003077096.tif 000021
【図２０】
2003077096.tif 000022
【図２１】
2003077096.tif 000023
【図２２】
2003077096.tif 000024
【図２３】
2003077096.tif 000025
【図２４】
2003077096.tif 000026
【図２５】
2003077096.tif 000027
【図２６】
2003077096.tif 000028
【図２７】
2003077096.tif 000029
【図２８】
2003077096.tif 000030
【図２９】
2003077096.tif 000031
【国際調査報告】
2003077096.tif 000032
2003077096.tif 000033
2003077096.tif 000034
2003077096.tif 000035